(57)【要約】【課題】流体の強制吸引及びノズルの保湿を可能とすることで安定した噴射特性を得る流体噴射装置を提供する。【解決手段】複数のノズル開口１７が形成されたノズル形成面２１Ａを有しノズル開口１７から流体を噴射する噴射ヘッド１３と、流体を吸引する際に噴射ヘッド１３に当接した状態で用いられるキャップ部材とを備える流体噴射装置である。キャップ部材内には、流体中の水分を含浸する第一多孔質部材６５ａと、流体に対し撥液性を示すとともに膨潤されない第二多孔質部材６５ｂとの積層構造からなる流体回収部材６５が保持される。【選択図】図８
2009012389.tif 000002
【特許請求の範囲】
【請求項１】
複数のノズル開口が形成されたノズル形成面を有し前記ノズル開口から流体を噴射する噴射ヘッドと、前記流体を吸引する際に前記噴射ヘッドに当接した状態で用いられるキャップ部材とを備える流体噴射装置において、
前記キャップ部材内に、少なくとも前記流体成分を含浸する第一多孔質部材と、前記流体に対し撥液性を示すとともに膨潤されない第二多孔質部材との積層構造からなる流体回収部材が保持されることを特徴とする流体噴射装置。
【請求項２】
前記第一多孔質部材及び前記第二多孔質部材はそれぞれ多孔質パターンを有しており、
少なくとも前記第二多孔質部材における前記多孔質パターンのパターン幅が前記ノズル形成面に形成されている前記ノズル開口のノズルピッチよりも小さいことを特徴とする請求項１に記載の流体噴射装置。
【請求項３】
前記キャップ部材は前記第二多孔質部材を保持する保持部を有しており、該保持部は平面視した状態で前記ノズル開口に重ならない領域に設けられていることを特徴とする請求項１又は２に記載の流体噴射装置。
【請求項４】
前記第二多孔質部材は金属メッシュフィルタ、金属綾畳フィルタ、又はセラミックメッシュフィルタから構成されることを特徴とする請求項１〜３のいずれか一項に記載の流体噴射装置。
【請求項５】
前記第一多孔質部材は不織布フィルタ又はスポンジから構成されることを特徴とする請求項１〜４のいずれか一項に記載の流体噴射装置。
【請求項６】
前記ノズル形成面に対する前記流体の接触角をθとし、前記ノズル形成面に形成された前記ノズルのノズルピッチをＷとし、前記噴射ヘッドに前記キャップ部材が当接された際の前記第二多孔質部材と前記ノズルの開口面との距離をｈとしたとき、
ｈ  ≦  Ｗ（１−ｃｏｓθ）／（２ｓｉｎθ）
の関係を満たすことを特徴とする請求項１〜５のいずれか一項に記載の流体噴射装置。
【請求項７】
前記噴射ヘッドは、ラインヘッドであることを特徴とする請求項１〜６のいずれか一項に記載の流体噴射装置。
【発明の詳細な説明】
【技術分野】
【０００１】
本発明は、流体噴射装置に関するものである。
【背景技術】
【０００２】
流体噴射装置として、記録ヘッド（噴射ヘッド）に形成されたノズルより記録媒体にインク（流体）を噴射するインクジェット式記録装置が知られている。流体噴射装置においては、乾燥等によるノズルの噴射特性の悪化を抑制するために、従来から、ノズルを囲うように記録ヘッドに当接されるキャップ部材を備えるキャッピング装置が設けられている。
また、流体噴射装置においては、ノズルの噴射特性の維持又は回復を目的として、上記キャップ部材を記録ヘッドに当接し、キャッピング状態とすることで形成される閉空間を減圧し、ノズルからインクの強制吸引を行っている（例えば、特許文献１参照）。
【特許文献１】特開平１１−２６８２９９号公報
【発明の開示】
【発明が解決しようとする課題】
【０００３】
ところで、上記従来技術においてはキャップ部材の外にインクを速やかに排出させることができるものの、ノズルの乾燥を防止する保湿機能が充分に得られないおそれがある。そのため、キャッピング状態にて長時間インクの吐出を行わないとノズルが乾燥してしまい吐出不良が生じる可能性がある。
特に記録ヘッドがラインヘッドである場合には、ノズル数が多いことから上述したノズルの乾燥が生じる可能性が高まり、印字品位が低下するおそれがさらに増大してしまう。
【０００４】
本発明はこのような事情に鑑みてなされたものであって、流体の強制吸引及びノズルの保湿を可能とし、安定した噴射特性を得る流体噴射装置を提供することを目的としている。
【課題を解決するための手段】
【０００５】
上記課題を解決するために、本発明の流体噴射装置は、複数のノズル開口が形成されたノズル形成面を有し前記ノズル開口から流体を噴射する噴射ヘッドと、前記流体を吸引する際に前記噴射ヘッドに当接した状態で用いられるキャップ部材とを備える流体噴射装置において、前記キャップ部材内に、少なくとも前記流体成分を含浸する第一多孔質部材と、前記流体に対し撥液性を示すとともに膨潤されない第二多孔質部材との積層構造からなる流体回収部材が保持される。
【０００６】
本発明の流体噴射装置によれば、例えばキャップ部材を用いてノズル開口から流体を強制吸引した場合、流体中の水分が第一多孔質部材に含浸されることで噴射ヘッドのノズル形成面を保湿することができる。よって、キャップ部材内に流体を貯留させることなくノズル形成面の保湿機能を得ることができる。また、ノズル形成面側に位置する第二多孔質部材は膨潤によってノズル形成面に接触することがないので、ノズル開口面にごみ等を付着させる或いは傷を付けるといった不具合が防止される。
したがって、本発明によれば流体の強制吸引及びノズル開口の保湿を良好に行うことで噴射ヘッドは安定した噴射特性を発揮することができる。
【０００７】
また上記流体噴射装置においては、前記第一多孔質部材及び前記第二多孔質部材はそれぞれ多孔質パターンを有しており、少なくとも前記第二多孔質部材における前記多孔質パターンのパターン幅が前記ノズル形成面に形成されている前記ノズル開口のノズルピッチよりも小さいのが好ましい。
この構成によれば、所定のノズル開口から吸引された流体は隣接するノズル開口から吸引された流体とは異なるメッシュ内を吸引されることとなる。よって、隣接するノズル開口から吸引される流体同士が交じり合うのを防止できる。
【０００８】
また上記流体噴射装置においては、前記キャップ部材は前記第二多孔質部材を保持する保持部を有しており、該保持部は平面視した状態で前記ノズル開口に重ならない領域に設けられているのが好ましい。
この構成によれば、前記ノズル開口から吸引された流体が流体回収部材内に収容される際に、保持部が流体の妨げとなるのを防止することができる。
【０００９】
また上記流体噴射装置においては、前記第二多孔質部材は金属メッシュフィルタ、金属綾畳フィルタ、又はセラミックメッシュフィルタから構成されるのが好ましい。
このような材料を用いれば、上述したような前記流体に対し撥液性を示すとともに膨潤されない特性を得る第二多孔質部材を提供できる。
【００１０】
また上記流体噴射装置においては、前記第一多孔質部材は不織布フィルタ又はスポンジから構成されるのが好ましい。
このような材料を用いれば、上述したような前記流体中の水分を含浸するとともに膨潤する特性を得る第一多孔質部材を提供できる。
【００１１】
また上記流体噴射装置においては、前記ノズル形成面に対する前記流体の接触角をθとし、前記ノズル形成面に形成された前記ノズルのノズルピッチをＷとし、前記噴射ヘッドに前記キャップ部材が当接された際の前記第二多孔質部材と前記ノズルの開口面との距離をｈとしたとき、ｈ  ≦  Ｗ（１−ｃｏｓθ）／（２ｓｉｎθ）の関係を満たすのが好ましい。なお、ノズルピッチとは各ノズル開口が配置される間隔である。
【００１２】
この構成によれば、吸引動作によって隣接するノズルからノズル形成面上に引き出された流体は流体回収部材に確実に吸収されるようになる。よって、ノズル形成面上で流体が交じり合うのを防止できる。
【００１３】
また上記流体噴射装置においては、前記噴射ヘッドは、ラインヘッドであるのが好ましい。
ラインヘッドはノズル数が多くなることでノズルの乾燥が生じる可能性が高まる。そこで、本発明を採用すれば、上述したようなキャップ部材を備えることでラインヘッドにおいても安定した噴射特性を得ることができる。
【発明を実施するための最良の形態】
【００１４】
（第一実施形態）
以下、本発明に係る流体噴射装置の実施形態について、図を参照して説明する。なお、以下の説明に用いる各図面では、各部材を認識可能な大きさとするため、各部材の縮尺を適宜変更している。本実施形態では、本発明に係る流体噴射装置として、インクジェット式プリンタを例示する。
【００１５】
図１は、本実施形態のインクジェット式プリンタ（以下、インクジェットプリンタ１００という）の概略構成図、図２は、ラインヘッド周辺の要部平面図、図３は、ラインヘッドのノズル形成面を示す平面図である。
本実施形態においてインクジェットプリンタ１００は、図１及び図２に示すように、記録紙１２への記録を行う記録部１０と、記録部１０のメンテナンス処理を行うメンテナンス部１１とを備える。
【００１６】
（記録部）
記録部１０は、インク滴を噴射して流体噴射対象物である記録紙１２に画像形成するラインヘッド１３（噴射ヘッド）と、記録紙１２を搬送する記録紙搬送機構１４と、ラインヘッド１３に供給するインク（流体）を貯留したインク貯留部１５とを備えて構成されている。
【００１７】
記録紙搬送機構１４は、紙送りモータ（不図示）やこの紙送りモータによって回転駆動される紙送りローラ（プラテン）４等から構成され、記録（印字・印刷）動作に連動させて、記録紙１２をラインヘッド１３に対向するように順次送り出す。
【００１８】
インク貯留部１５は、プリンタ本体１６の一側に配置され、不図示のインク供給手段により後述のラインヘッド１３へインクを供給する。このインク貯留部１５は、インクジェットプリンタ１００の各色（イエロー（Ｙ）、マゼンタ（Ｍ）、シアン（Ｃ）、黒（Ｋ１：染料系）、黒（Ｋ２：顔料系））に対応する色のインクを貯蔵するインクタンク１５Ｙ，１５Ｍ，１５Ｃ，１５Ｋ１，１５Ｋ２を有しており、インク供給手段を介してラインヘッド１３と連通している。
【００１９】
ラインヘッド１３は、インクジェットプリンタ１００が対象とする最大サイズの記録紙１２の少なくとも一辺を越える長さ（最大記録紙幅Ｐ）に亘ってノズルが多数配列されたライン型の記録ヘッドである。本実施形態においては、少なくとも各色（Ｙ、Ｍ、Ｃ、Ｋ１、Ｋ２）に対応した５つの印字部５Ｙ，５Ｍ，５Ｃ，５Ｋ１，５Ｋ２を備えている。各印字部５Ｙ，５Ｍ，５Ｃ，５Ｋ１，５Ｋ２は、インク滴を噴射するためのノズル１７を多数整列配置してなるノズル列（ノズル群）Ｌ（図３参照）をそれぞれ有しており、記録紙１２の搬送方向に沿って順に配設されている。ノズル列Ｌは、ノズル１７による１列のライン又はノズル１７による複数列のラインであって、ノズル１７の数やラインの数は適宜設定される。図３はノズル列Ｌの一実施例を示すものであり、ノズル１７による複数列のラインを示している。ライン数を増やすことにより、一度に広範囲の記録が可能になるとともに、画像の解像度も高まる。
【００２０】
ラインヘッド１３は、最大記録紙幅Ｐに対応する長さ方向を記録紙１２の搬送方向と直交する方向に配置され、各ノズル列Ｌのノズル１７からインク滴が記録紙１２に噴射されることにより記録紙１２に画像が記録される。
【００２１】
インク貯留部１５とラインヘッド１３とを連通するインク供給手段は、複数のインク供給流路を有しており、各インクタンク１５Ｙ，１５Ｍ，１５Ｃ，１５Ｋ１，１５Ｋ２から各印字部５Ｙ，５Ｍ，５Ｃ，５Ｋ１，５Ｋ２へとインクが供給されるようになっている。
【００２２】
以下、図４を参照してラインヘッドの構成について詳述する。図４は、ラインヘッドの一部を示す断面図である。
ラインヘッド１３は、ヘッド本体１８と、振動板１９、流路基板２０、及びノズル基板２１を含む流路形成ユニット２２とを備えている。インクを噴射するノズル開口）１７はノズル基板２１に形成され、ノズル基板２１の下面がノズル形成面２１Ａとされている。流路形成ユニット２２は、振動板１９、流路基板２０、及びノズル基板２１を積層し、接着剤等で接合して一体にしたものである。
【００２３】
ラインヘッド１３は、ヘッド本体１８の内部に形成された収容空間２３と、収容空間２３に配置された駆動ユニット２４とを備えている。駆動ユニット２４は、例えば複数の圧電素子２５と、圧電素子２５の上端を支持する固定部材２６と、駆動信号を圧電素子２５に供給する柔軟なケーブル２７とを備えている。圧電素子２５は、複数のノズル開口１７のそれぞれに対応するように設けられている。
【００２４】
また、ヘッド本体１８の内部に形成され、インクタンクからインク供給流路を介して供給されたインクが流れる内部流路２８と、振動板１９、流路基板２０、及びノズル基板２１を含む流路形成ユニット２２によって形成され、内部流路２８と接続された共通インク室２９と、流路形成ユニット２２によって形成され、共通インク室２９と接続されたインク供給口３０と、流路形成ユニット２２によって形成されてインク供給口３０と接続された圧力室３１とを備えている。圧力室３１は、複数のノズル開口１７に対応するように複数設けられている。複数のノズル開口１７のそれぞれは、複数の圧力室３１のそれぞれに接続されている。
【００２５】
ヘッド本体１８は、合成樹脂で形成されている。振動板１９は、例えばステンレス鋼等の金属製の支持板上に弾性フィルムをラミネート加工したものである。振動板１９の圧力室に対応する部分には、圧電素子２５の下端と接合される島部３２が形成されている。振動板１９の少なくとも一部は、圧電素子２５の駆動に応じて弾性変形する。振動板１９と内部流路２８の下端近傍との間にはコンプライアンス部３３が形成されている。
【００２６】
流路基板２０は、内部流路２８の下端とノズル開口１７とを接続する共通インク室２９、インク供給口３０、及び圧力室３１それぞれの空間を形成するための凹部を有する。本実施形態においては、流路基板２０は、シリコンを異方性エッチングすることで形成されている。
【００２７】
ノズル基板２１は、後述するように所定方向に所定間隔（ピッチ）で形成された複数のノズル開口１７を有する。本実施形態のノズル基板２１は、例えばステンレス鋼等の金属で形成された板状の部材である。
【００２８】
各インクタンクから各々のインク供給流路を介して供給されたインクは、内部流路２８の上端に流入する。内部流路２８の下端は、共通インク室２９に接続されており、インクタンクからインク供給流路を介して内部流路２８の上端に流入したインクは、内部流路２８を流れた後、共通インク室２９に供給される。共通インク室２９に供給されたインクは、インク供給口３０を介して、複数の圧力室３１のそれぞれに分配されるように供給される。
【００２９】
ケーブル２７を介して圧電素子２５に駆動信号が入力されると、圧電素子２５が伸縮する。これにより、振動板１９が圧力室に接近する方向及び離れる方向に変形（移動）する。これにより、圧力室３１の容積が変化し、インクを収容した圧力室３１の圧力が変動する。この圧力の変動によって、ノズル開口１７から、インクが噴射される。
【００３０】
このように、本実施形態の圧電素子２５（駆動素子）は、ノズル開口１７よりインクを噴射するために、入力される駆動信号に基づいて、ノズル開口１７に接続された圧力室３１（空間）の圧力を変動させる。そして、ノズル開口１７から噴射されたインクによって記録紙１２に所望の画像が形成される。
【００３１】
また、ラインヘッド１３は、ラインヘッド移動機構７０（図１１参照）によって上下方向に移動可能とされている。
より詳細には、ラインヘッド１３は、ラインヘッド移動機構７０によって、印刷位置とメンテナンス位置との間において上下方向に移動可能とされている。
なお、印刷位置とは、ラインヘッド１３のノズル開口１７から記録紙１２へインクを噴射することによって記録を行う位置であり、相対的にラインヘッド１３が上方に移動された位置である。また、メンテナンス位置とは、以下に詳説するメンテナンス部１１によってラインヘッド１３のメンテナンス処理が行われる位置であり、相対的にラインヘッド１３が可能に移動された位置である。
【００３２】
（メンテナンス部）
次に、メンテナンス部１１の構成について詳述する。
メンテナンス部１１は、図１に示したようにノズル開口１７の乾燥防止又はノズル開口１７近傍のインク粘度上昇を防止するキャッピング機構４０と、キャッピング機構４０に溜まったインクを強制吸引することで外部に排出するインク排出部４１とを含めたキャッピングメンテナンス部４２（図１０参照）、インク排出部４１によって排出されたインクを回収する廃インクタンク３９等を備えている。
【００３３】
図５はキャッピング機構４０の概略構成を示す図であり、図５（ａ）はキャッピング機構４０の概略構成を示す斜視図であり、図５（ｂ）はキャッピング機構４０の短辺方向における断面形状を示す図である。
キャッピング機構４０は、図５（ａ），（ｂ）に示されるように、樹脂等によってトレー形状に成型されたキャップ部材４３を備えている。キャッピング機構４０はラインヘッド１３からインクを強制吸引したり、ノズル形成面２１Ａを保湿することでノズル開口１７の噴射特性を回復あるいは維持させる処理を可能としている。またキャップ部材４３の内部にはインク回収部材（流体回収部材）６５が保持されている。
【００３４】
キャップ部材４３は、周縁部４３ａが枠状に成型されている。キャップ部材４３は、周縁部４３ａ上に形成されたシール部８０を備えている。このシール部８０は、キャップ部材４３がノズル形成面２１Ａに当接した際にノズル開口１７が形成された領域を囲むように形成されている。
【００３５】
またシール部８０は、例えばエラストマーから構成される。これ以外の形成材料としては押圧時にラインヘッド１３の表面形状に倣って変形なものであれば適宜採用できる。
このようなキャップ部材４３は、周縁部４３ａ（シール部８０）がノズル形成面２１Ａと当接することによってノズル形成面２１Ａとの間に閉空間を形成可能とされている。
【００３６】
またインク回収部材６５は、図５（ｂ）に示されるように第一多孔質部材６５ａと、第二多孔質部材６５ｂとの積層構造から構成されている。
上記第一多孔質部材６５ａはラインヘッド１３のノズル開口１７から噴射されるインク中の水分を含浸するとともに膨潤可能とされるものであり、その構成材料としては例えば不織布フィルタ又はスポンジ等を例示できる。また上記第二多孔質部材６５ｂは、ラインヘッド１３のノズル開口１７から噴射されるインクに対して撥液性を示すとともに、インクにより膨潤されないものであり、その構成材料としては例えば金属メッシュフィルタ、金属綾畳フィルタ、又はセラミックメッシュフィルタ等を例示できる。なお、本実施形態では上記第一多孔質部材６５ａは不織布フィルタから構成され、上記第二多孔質部材６５ｂは金網メッシュフィルタから構成されている。
【００３７】
第二多孔質部材６５ｂはその表面にインクに対し撥液性を示す撥液処理コーティングが施されている。このコーティングとしては、例えばシランカップリング剤、フッ素系、無電解又は電解メッキ、シリコーン系撥水処理材等を例示できる。なお、第二多孔質部材６５ｂとして上述の金属メッシュフィルタに代えて、予めインクに対して撥液性を示す多孔質材料、例えば発泡性シリコーンゴムを用いても良く、このようにすれば上述の撥液処理コーティングを無くすことができる。
【００３８】
図６はインク回収部材６５の構成を示す平面図である。図６に示されるように上記キャップ部材４３は、前記第二多孔質部材６５ｂを保持する保持部６６を有しており、この保持部６６は平面視した状態でノズル開口１７に重ならない領域に設けられている。本実施形態に係る保持部６６は、熱を加えた状態で第二多孔質部材６５ｂ（金網メッシュフィルタ）をかしめた、所謂熱カシメによって構成されている。これにより、第二多孔質部材６５ｂはキャップ部材４３に確実に保持されたものとなる。一方、第一多孔質部材６５ａは、底面部及び側面部がキャップ部材４３に当接した状態となっており、さらにその上部が上記第二多孔質部材６５ｂに当接している。したがって、第一多孔質部材６５ａについてもキャップ部材４３内に確実に保持されたものとなる。
【００３９】
上記第一多孔質部材６５ａ及び第二多孔質部材６５ｂは、図７に示されるように規則的な多孔質パターン、例えば格子状のメッシュパターンをそれぞれ有している。図７はラインヘッド１３にキャップ部材４３が当接された際におけるノズル開口１７とメッシュパターンとの関係を示す図である。なお、本実施形態では第一多孔質部材６５ａ及び第二多孔質部材６５ｂはそれぞれ同じメッシュパターンを有して構成されているものとする。
【００４０】
第一、第二多孔質部材６５ａ、６５ｂにおけるメッシュパターンのメッシュ幅（パターン幅）Ｍは、ラインヘッド１３のノズル形成面２１Ａに形成されるノズル開口１７のノズルピッチＷよりも小さくなっている。すなわち、次式、Ｗ＞Ｍの関係を満たしている。なお、図７で示されるノズル開口１７のノズルピッチＷとは、隣接するノズル列Ｌ間の間隔及び同一ノズル列Ｌの各ノズル開口１７間の間隔に対応するものである。なお、上記関係（Ｗ＞Ｍ）を満たしていれば、ノズル列Ｌの間隔と、同一ノズル列Ｌの各ノズル開口１７の間隔とを異ならせても良い。
【００４１】
このようにメッシュ幅ＭがノズルピッチＷよりも小さくなっていることで、所定のノズル開口１７から強制吸引されたインクは隣接するノズル開口１７から吸引されるインクに混じることがなく、したがってインクの吸引時に混色の発生を防止することができる。
【００４２】
なお、本発明では第一、第二多孔質部材６５ａ、６５ｂがそれぞれ異なるメッシュパターンを有していても良く、この場合においては少なくとも第二多孔質部材６５ｂにおけるメッシュパターンのメッシュ幅がノズル形成面２１Ａに形成されているノズル開口１７のノズルピッチよりも小さければよい。
【００４３】
またキャップ部材４３には、図５（ｂ）に示したようにノズル開口１７からインクを強制吸引するとともに、キャップ部材４３内に溜まったインクを排出する吸引口６７が設けられており、この吸引口６７にはキャッピングメンテナンス部４２が接続されている。
【００４４】
図８はメンテナンス処理時（インク吸引時）におけるインク回収部材６５（キャッピング機構４０）とラインヘッド１３との位置関係を示す図である。
【００４５】
ここで、インク回収部材６５とノズル形成面２１Ａとの距離が離れすぎてしまうと、ノズル開口１７から吸引されたインクがインク回収部材６５に接触する前に、隣接するノズル列Ｌからノズル形成面２１Ａ上に濡れ広がったインク液滴同士が交じり合うおそれがある。上述したように各ノズル列Ｌからはそれぞれ異なる色のインクが噴射されることからノズル形成面２１Ａ上でインクの混色が生じることとなる。
【００４６】
このようなインクの混色を防止する手段として、本実施形態に係るインクジェットプリンタ１００では、図８に示されるようにラインヘッド１３のノズル形成面２１Ａに対するインクの静的接触角をθとし、ラインヘッド１３のノズル列ＬのピッチをＷとし、ラインヘッド１３にキャップ部材４３が当接された際の第二多孔質部材６５ｂとノズル形成面２１Ａとの距離をｈとし、後述の式１０を規定している。
【００４７】
以下、この式１０について説明する。
図９は吸引によりノズル形成面２１Ａ上にインクが引き出された状態を示し、ノズル形成面２１Ａと第二多孔質部材６５ｂとの距離を規定する式１０について説明するための図である。
【００４８】
図９（ａ）においてインクの表面を極座標で表すと、下式２，３が規定できる。
【００４９】
ｘ＝ｒｃｏｓθa  （式２）
【００５０】
ｙ＝ｒｓｉｎθa  （式３）
【００５１】
ここで、θa＝９０°−θで表されることから、上記式２、３は下式４，５によって規定される。
【００５２】
ｘ＝ｒｓｉｎθ  （式４）
【００５３】
ｙ＝ｒｃｏｓθ  （式５）
【００５４】
図９（ｂ）に示されるように、ノズル列Ｌ間ピッチをＷとすると、インク液滴の幅がＷ／２（ノズルピッチＷの半分に相当）であればインクの混色が起こらない。つまり、ノズル形成面２１Ａと第二多孔質部材６５ｂとの距離ｈは、液滴幅Ｗ／２のときの液滴高さ以下であればよい。
【００５５】
ここで、ｘ＝Ｗ／２を上記式４に代入し、ｒについて展開すると、下式６が得られる。
【００５６】
ｒ＝Ｗ／２ｓｉｎθ  （式６）
【００５７】
また、液滴高さをＹinkとすると、下式７で規定される。
【００５８】
Ｙink＝ｒｃｏｓ９０°−ｒｃｏｓθ  （式７）
【００５９】
この式７を整理すると、下式８が得られる。
【００６０】
Ｙink＝ｒ（１−ｃｏｓθ）  （式８）
【００６１】
この式８に上記式６を代入すると、下式９が得られる。
【００６２】
Ｙink＝Ｗ（１−ｃｏｓθ）／（２ｓｉｎθ）  （式９）
【００６３】
この式９で示される液滴高さがノズル開口１７から第二多孔質部材６５ｂまでのギャップとなり、このギャップ以内であればノズル形成面２１Ａにおいてインクの混色が生じないこととなる。
【００６４】
したがって、ノズル形成面２１Ａにおいてインクの混色が生じないための条件である式１０が規定される。
【００６５】
ｈ  ≦  Ｗ（１−ｃｏｓθ）／（２ｓｉｎθ）      （式１０）
【００６６】
本実施形態では、上述の式１０を満たすようにラインヘッド１３に対してキャップ部材４３を当接させるようにしている。よって、吸引により隣接するノズル列Ｌ（ノズル開口１７）からノズル形成面２１Ａ上に濡れ拡がったインク間には、図８に示したように隙間Ｓが生じたものとなる。よって、インクの吸引時にノズル形成面２１Ａ近傍でインクの混色が発生するのを防止できる。
【００６７】
キャッピングメンテナンス部４２によってノズル開口１７から強制吸引されたインクは、第二多孔質部材６５ｂに接触する。第二多孔質部材６５ｂは上述したようにインクに対し、撥液性を示す格子状のメッシュパターンを有していることから、インクはメッシュパターン表面に濡れ拡がることなくメッシュパターン（隙間）間に流れ込むようになっている。そして、第一多孔質部材６５ａを通過した後、吸引口６７を経てキャップ部材４３の外部に排出される構成となっている。
【００６８】
（インク排出部）
以下、図１０を参照してインク排出部について詳述する。図１０は、キャップ部材４３に連結された吸引ポンプの構成を示す図である。
インク排出部４１は、キャップ部材４３に接続してキャップ部材４３内に溜まったインクを排出するインク排出流路、キャップ部材４３に溜まったインクをインク排出流路内に吸引するための吸引ポンプ４９等を備えている。
【００６９】
キャップ部材４３の底壁には、キャップ部材４３内に溜まったインク２を排出する突出部４６が下方に向かって突設されており、その内部には排出通路４６ａが形成されている。この排出通路４６ａの一端側はキャップ部材４３を貫通しており、キャップ部材４３に設けられる吸引口６７を構成している。
【００７０】
突出部４６には、上記インク排出流路として機能する、可撓性材料等からなる排出チューブ４７の一端側が接続されており、排出チューブ４７の他端側が廃インクタンク３９内に挿入されている。
なお、廃インクタンク３９内には、多孔質部材からなる廃インク吸収材４８が収容されており、この廃インク吸収材４８により回収されたインク２が吸収されるようになっている。
【００７１】
キャップ部材４３と廃インクタンク３９間には、チューブポンプ式の吸引ポンプ４９が配設されている。吸引ポンプ４９は、円筒状のケース５０を有しており、このケース５０内には平面視で円形状をなすポンプホイル５１がケース５０の軸心に設けられたホイル軸５２を中心に回動可能に収容されている。そして、このケース５０内に、排出チューブ４７の中間部４７ａがケース５０の内周壁５０ａに沿うようにして収容されている。
【００７２】
ポンプホイル５１には、一対の外側に膨らむ円弧状をなすローラ案内溝５３，５４がホイル軸５２を挟んで対向するように形成されている。各ローラ案内溝５３，５４は、一端がポンプホイル５１の外周側に位置しており、他端がポンプホイル５１の内周側に位置している。すなわち、両ローラ案内溝５３，５４は、それらの一端から他端に向かうほど、徐々にポンプホイル５１の外周部から遠ざかるように延びている。
両ローラ案内溝５３，５４内には、押圧手段としての一対のローラ５５，５６が、それぞれ回動軸５５ａ，５６ａを介して挿通支持されている。なお、両回動軸５５ａ，５６ａは、それぞれ両ローラ案内溝５３，５４内を摺動自在になっている。
【００７３】
そして、ポンプホイル５１を、正方向（矢印方向）に回動させると、両ローラ５５，５６が両ローラ案内溝５３，５４の一端側（ポンプホイル５１の外周側）に移動し、排出チューブ４７の中間部４７ａを上流側から下流側へ順次押し潰しながら（押圧しながら）回動するようになっている。この回動により、吸引ポンプ４９より上流側の排出チューブ４７の内部が減圧されるようになっている。
これにより、キャップ部材４３内に溜まったインクは、ポンプホイル５１の正方向の回動動作により、徐々に廃インクタンク３９方向へ排出されるようになっている。
【００７４】
また、ポンプホイル５１を逆方向（矢印方向とは反対方向）に回動させると、両ローラ５５，５６が両ローラ案内溝５３，５４の他端側（ポンプホイル５１の内周側）に移動するようになっている。この移動により、両ローラ５５，５６がそれぞれ排出チューブ４７の中間部４７ａに軽く接した状態となり、排出チューブ４７の内部の減圧状態が解消されるようになっている。なお、ポンプホイル５１は、記録紙搬送機構１４の紙送りモータによって回転駆動されるようになっている。
【００７５】
図１１は、インクジェットプリンタ１００の電気的な構成を示すブロック図である。
本実施形態におけるインクジェットプリンタ１００は、図１１に示すように、インクジェットプリンタ１００全体の動作を制御する制御装置６０を備えている。制御装置６０には、インクジェットプリンタ１００の動作に関する各種情報を入力する入力装置６１と、インクジェットプリンタ１００の動作に関する各種情報を記憶した記憶装置６２と、時間の計測を実行可能な計測装置６３とが接続されている。また、制御装置６０には、上述した記録紙搬送機構１４、メンテナンス部１１等が接続されている。また、インクジェットプリンタ１００は、圧電素子２５を含む駆動ユニット２４に入力する駆動信号を発生する駆動信号発生器６４を備えている。駆動信号発生器６４は、制御装置６０に接続されている。駆動信号発生器６４には、ラインヘッド１３の圧電素子２５に入力する駆動パルスの電圧値の変化量を示すデータ、及び駆動パルスの電圧を変化させるタイミングを規定するタイミング信号が入力される。
【００７６】
（メンテナンス処理）
以下、本実施形態のインクジェットプリンタ１００において、メンテナンス部１１を用いてラインヘッド１３のメンテナンス処理を行う場合について図１２に示すフローチャート図を参照しながら説明する。
【００７７】
外部から印刷データが送信されると、上記制御装置６０はドットパターンに対応した噴射データに展開してラインヘッド１３に送信する。そして、ラインヘッド１３では、受信した噴射データに基づき、記録（印字・印刷）処理、すなわち記録紙１２に対するインク滴の噴射を実行する（ステップＳ１）。
そして、予め設定されている時間が経過すると（ステップＳ２）、定期メンテナンス処理を開始する。本実施形態では、定期メンテナンス処理としてラインヘッド１３からインクを強制吸引したり、ノズル形成面２１Ａを保湿することでノズル開口１７の噴射特性を回復あるいは維持させる処理を行う。
【００７８】
メンテナンス処理が開始すると、制御装置６０はキャップ部材４３がノズル形成面２１Ａに当接するまでラインヘッド１３を下降させ、ノズル形成面２１Ａにシール部８０を密着させ、ノズル形成面２１Ａとキャップ部材４３との間の空間Ｋ（図１０参照）を形成する（ステップＳ３）。
【００７９】
続いて、制御装置は吸引ポンプ４９を駆動することによって、ノズル形成面２１Ａとキャップ部材４３との間に形成される空間Ｋを減圧状態とし、これによってノズル開口１７を介してラインヘッド１３の内部からインクを強制排出させる吸引動作を行う（ステップＳ４）。
この際、上述のようにキャップ部材４３とノズル形成面２１Ａとの間に形成される空間が閉空間とされているため、吸引ポンプ４９を駆動させることによって空間を良好に減圧させることができる。このため、ラインヘッド１３内のインクをノズル開口１７から良好に強制排出させることができる。
【００８０】
ここでキャップ部材４３の内部には、上述したインク回収部材６５が設けられている。
このインク回収部材６５にはノズル形成面２１Ａ側にインクに対して撥液性を示し格子状のメッシュパターンを有する第二多孔質部材６５ｂが設けられているので、各ノズル開口１７から吸引されたインクはメッシュ間を通ることで第一多孔質部材６５ａに到達する。
【００８１】
また、第二多孔質部材６５ｂは、ノズル開口１７から吸引されたインクの水分によって膨潤されない特性を有している。そのため、メンテナンス処理時に第二多孔質部材６５ｂの膨潤によるノズル形成面２１Ａへの接触が起こらないので、ノズル形成面２１Ａにごみ等を付着させる、或いは傷を付けるといった不具合を防止できる。
【００８２】
また、図６を参照して説明したように第二多孔質部材６５ｂをキャップ部材４３に保持する保持部６６は、平面視した状態で各ノズル開口１７に重ならない領域に形成されているため、保持部６６は各ノズル開口１７から吸引されるインクの流れを妨げることがない。よって、ノズル開口１７から吸引されたインクは第二多孔質部材６５ｂから下層の第一多孔質部材６５ａに良好に流れ込むようになる。
【００８３】
第一多孔質部材６５ａは第二多孔質部材６５ｂと同様に格子状のメッシュパターンを有している。そのため、インクは第一多孔質部材６５ａのメッシュ内を流れ、キャップ部材４３の底面に形成された吸引口６７から外部（キャッピングメンテナンス部４２の廃インクタンク３９）に排出される。
【００８４】
ここで、第一多孔質部材６５ａはインク成分含浸する特性を有している。したがって、第二多孔質部材６５ｂから流れ込んだインク成分を含浸することで、キャップ部材４３とラインヘッド１３との間に形成される空間Ｋを保湿状態とすることができる。よって、キャッピング状態においても上記第一多孔質部材６５ａによってノズル開口１７の乾燥を防止することができる。よってキャッピング状態にてインクの吐出を長時間行わない場合でも、ノズル開口１７が乾燥することで吐出不良等の不具合を防止できる。
【００８５】
その後、制御装置６０は、吸引ポンプ４９を逆駆動することによって、ノズル形成面２１Ａとキャップ部材４３との間に形成されている空間Ｋを大気開放する（ステップＳ５）。具体的には、制御装置６０は吸引ポンプ４９を逆駆動することによってノズル形成面２１Ａとキャップ部材４３との間の空間に空気が流入し、空間Ｋが大気開放される。
【００８６】
そして、制御装置６０は、ラインヘッド１３を上昇させることによって、ノズル形成面２１Ａからキャップ部材４３を離間させる（ステップＳ６）。具体的には、制御装置６０はラインヘッド１３を印刷位置まで移動させることによってノズル形成面２１Ａからキャップ部材４３を離間させる。
【００８７】
ここで、インク吸引後、ノズル開口１７の内部は依然として負圧状態となっている。そのため、ノズル形成面２１Ａ上に付着しているインクがノズル開口１７内に引き込まれる可能性がある。仮にノズル形成面２１Ａに混色インクが付着しているとノズル開口１７から所望の色のインクを噴射できなくなるおそれがある。噴射特性を回復させるためには、フラッシング処理を行うことでノズル開口１７内に引き込まれた混色インクを排出させる必要がある。
【００８８】
一方、本実施形態に係るインクジェットプリンタ１００によれば、上述した式１０を満たした状態にノズル形成面２１Ａと第二多孔質部材６５ｂとの距離を設定するとともに、上記インク回収部材６５を備えたことでノズル形成面２１Ａ近傍でのインクの混色を防止することでノズル開口１７内に同色インクが引き込まれるようにしている。特に本実施形態のような多数のノズル開口１７を備えるラインヘッド１３においては大きな効果を得ることができる。
したがって、本実施形態に係るインクジェットプリンタ１００によれば、インクの強制吸引及びノズル開口１７の保湿を良好に行うことのできるキャッピング機構４０を備えているので、ラインヘッド１３は安定した噴射特性を発揮することができる。
【００８９】
以上、添付図面を参照しながら本発明に係る好適な実施形態について説明したが、本発明は係る例に限定されないことは言うまでもなく、上記各実施形態を組み合わせても良い。当業者であれば、特許請求の範囲に記載された技術的思想の範疇内において、各種の変更例または修正例に想到し得ることは明らかであり、それらについても当然に本発明の技術的範囲に属するものと了解される。
【００９０】
例えば、上記実施形態においては、ラインヘッド１３をメンテナンス部１１に対して昇降させることでメンテナンス処理を行ったが、本発明はこれに限定されるものではなく、例えばラインヘッド１３の待機位置までメンテナンス部１１を移動させることでノズル形成面２１Ａとメンテナンス部１１とを対向配置し、メンテナンス処理を行うようにしてもよい。
【００９１】
例えば、上記実施形態に係る説明では記録紙上に画像形成する場合について説明したが、ロール紙上に画像形成する場合にも本発明は適応可能である。図１３に示すようにロール紙Ｒに印字を行う場合、ラインヘッド１３の下側にメンテナンス部１１を配置することが難しい。このような場合、ラインヘッド１３の側方にメンテナンス部１１を配置し、メンテナンス処理時にラインヘッド１３を同図中矢印方向に回転させ、ノズル形成面２１Ａをメンテナンス部１１に対向させメンテナンス処理を行うようにしてもよい。
【００９２】
また、本発明はノズル形成面２１Ａをそれぞれ対向配置させた２つのラインヘッド１３間に記録紙を送ることで両面印刷を行うインクジェットプリンタについても適用可能である。このような場合、図１４に示すように２つのラインヘッド１３の側方にメンテナンス部１１をそれぞれ配置し、上述した両面印刷時と同様にメンテナンス処理時にラインヘッド１３を同図中矢印方向に回転させ、メンテナンス部１１にノズル形成面２１Ａを対向させてメンテナンス処理を行うようにしてもよい。なお、メンテナンス部１１を１つだけ設け、メンテナンス装置を昇降あるいは移動させることで２つのラインヘッド１３に対しメンテナンス処理を行う構成を採用してもよい。
【００９３】
例えば、上記実施形態においては、単一のラインヘッドを備え、当該ラインヘッドから全ての種類のインクが噴射される構成について説明した。しかしながら、本発明はこれに限定されるものではなく、インクの種類ごとにラインヘッドを設置する構成であっても良い。このような場合には、各ラインヘッドごとにメンテナンス部１１が設置されることとなる。
また、本発明は、ラインヘッド方式のインクジェットプリンタに限られるものではなく、シリアル方式のインクジェットプリンタに適用することも可能である。
【００９４】
また、上記実施形態においては、インクジェット式記録装置がインクジェット式プリンタである場合を例にして説明したが、インクジェット式プリンタに限られず、複写機及びファクシミリ等の記録装置であってもよい。
【００９５】
また、上記実施形態では圧電素子２５として積層型のものを用いたが、本発明はこれに限定されず、積層型以外の種類（例えば、モノモルフ、ユニモルフ、バイモルフ、ムーニー型、マルチムーニー型、シンバル型等）を用いてもよい。更に、駆動ユニット２４としては上述した圧電素子２５を用いたピエゾジェットタイプに限定されることなく、例えばサーマル方式を採用することもできる。その場合には印加時間を変化させることなどにより、流体吐出量を変化させることができる。
【００９６】
また、上述の各実施形態においては、流体噴射装置が、インク等の流体を噴射する流体噴射装置（流体噴射装置）である場合を例にして説明したが、本発明の流体噴射装置は、インク以外の他の流体を噴射したり吐出したりする流体噴射装置に適用することができる。流体噴射装置が噴射可能な流体は、液体、機能材料の粒子が分散又は溶解されている液状体、ジェル状の流状体、流体として流して噴射できる固体、及び粉体（トナー等）を含む。
【００９７】
また、上述の各実施形態において、流体噴射装置から噴射される流体としては、インクのみならず、特定の用途に対応する流体を適用可能である。流体噴射装置に、その特定の用途に対応する流体を噴射可能な噴射ヘッドを設け、その噴射ヘッドから特定の用途に対応する流体を噴射して、その流体を所定の物体に付着させることによって、所定のデバイスを製造可能である。例えば、本発明の流体噴射装置（流体噴射装置）は、液晶ディスプレイ、ＥＬ（エレクトロルミネッセンス）ディスプレイ、及び面発光ディスプレイ（ＦＥＤ）の製造等に用いられる電極材、色材等の材料を所定の分散媒（溶媒）に分散（溶解）した流体を噴射する流体噴射装置に適用可能である。
【００９８】
また、流体噴射装置としては、バイオチップ製造に用いられる生体有機物を噴射する流体噴射装置、精密ピペットとして用いられ試料となる流体を噴射する流体噴射装置であってもよい。
【００９９】
さらに、時計やカメラ等の精密機械にピンポイントで潤滑油を噴射する流体噴射装置、光通信素子等に用いられる微小半球レンズ（光学レンズ）などを形成するために紫外線硬化樹脂等の透明樹脂液を基板上に噴射する流体噴射装置、基板などをエッチングするために酸又はアルカリ等のエッチング液を噴射する流体噴射装置、ジェルを噴射する流状体噴射装置、トナーなどの粉体を例とする固体を噴射するトナージェット式記録装置であってもよい。そして、これらのうちいずれか一種の流体噴射装置に本発明を適用することができる。
【図面の簡単な説明】
【０１００】
【図１】インクジェットプリンタの概略構成図である。
【図２】ラインヘッド周辺の要部平面図である。
【図３】ラインヘッドのノズル形成面を示す平面図である。
【図４】ラインヘッドの一部を示す断面図である。
【図５】キャッピング機構の概略構成を示す図である。
【図６】インク回収部材の構成を示す平面図である。
【図７】メッシュパターンメッシュとノズルとの対応関係を説明する図である。
【図８】メンテナンス時のインク回収部材とヘッドとの位置関係を示す図である。
【図９】ノズル形成面と第二多孔質部材との位置関係を規定する説明図である。
【図１０】インク排出部の構成を示す図である。
【図１１】インクジェットプリンタの電気的な構成を示すブロック図である。
【図１２】ラインヘッドに対するメンテナンス処理のフローチャート図である。
【図１３】インクジェットプリンタの変形例に係る構成を示す図である。
【図１４】インクジェットプリンタの変形例に係る構成を示す図である。
【符号の説明】
【０１０１】
Ｍ…メッシュ幅（パターン幅）、Ｗ…ノズルピッチ、１３…ラインヘッド（噴射ヘッド）、１７…ノズル開口、１８…ヘッド本体（保持部材）、２１Ａ…ノズル形成面、４３…キャップ部材、６５…インク回収部材（流体回収部材）、６５ａ…第一多孔質部材、６５ｂ…第二多孔質部材、６６…保持部、１００…インクジェットプリンタ（流体噴射装置）
【図１】
2009012389.tif 000003
【図２】
2009012389.tif 000004
【図３】
2009012389.tif 000005
【図４】
2009012389.tif 000006
【図５】
2009012389.tif 000007
【図６】
2009012389.tif 000008
【図７】
2009012389.tif 000009
【図８】
2009012389.tif 000010
【図９】
2009012389.tif 000011
【図１０】
2009012389.tif 000012
【図１１】
2009012389.tif 000013
【図１２】
2009012389.tif 000014
【図１３】
2009012389.tif 000015
【図１４】
2009012389.tif 000016